(57)【特許請求の範囲】
【請求項１】
四辺形領域内で並べられた第１及び第２の電極パターンと、
前記第１及び第２の電極パターンが形成された第１の基板と、
前記第１の電極パターンに電気的に接続されて前記四辺形領域の第１の辺から外方向に形成されてなる第１の配線パターンと、
前記第２の電極パターンに電気的に接続されて前記四辺形領域の前記第１の辺の両端に隣接する一対の第２の辺から外方向にそれぞれ形成されてなる一対の第２の配線パターンと、
前記第１及び第２の配線パターンよりも前記第１の辺及び前記一対の第２の辺で形成される一対の頂点に近い位置からそれぞれ前記四辺形領域の外方向に形成されてなる一対の第３の配線パターンと、
前記第１の基板に対向する第２の基板と、
前記第２の基板に形成され、前記一対の第３の配線パターンに電気的に接続された共通電極と、
前記一対の第３の配線パターンが形成された前記一対の頂点を除く前記四辺形領域の角部から引き出され、前記共通電極に電気的に接続されてなる第４の配線パターンと、
前記第１の配線パターンに電気的に接続される第１の端子と、前記一対の第２の配線パターンにそれぞれ電気的に接続される一対の第２の端子と、前記一対の第３の配線パターンにそれぞれ電気的に接続される一対の第３の端子と、前記第４の配線パターンに電気的に接続される第４の端子と、複数の入力端子と、を含み、入力された信号を通過させる経路を有する１つの電子部品と、
を有し、
前記経路は、前記複数の入力端子の１つを、前記一対の第３の端子及び前記第４の端子に接続する部分を有し、
それぞれの前記第３の配線パターンを境界として、前記第１の配線パターンの側に前記第１の端子が配置され、それぞれの前記第２の配線パターンの側に一方の前記第２の端子が配置され、
それぞれの前記第３の端子は、前記第１の端子と一方の前記第２の端子との間に配置され、
それぞれの前記第２の端子は、前記入力端子と一方の前記第３の端子との間に配置されてなる電極駆動装置。
【請求項２】
請求項１記載の電極駆動装置において、
前記第１及び第２の電極パターンは、マトリクス状に形成されてなる電極駆動装置。
【請求項３】
請求項１又は請求項２記載の電極駆動装置において、
前記第１の基板には、第３の基板が取り付けられ、
前記電子部品は、前記第３の基板に実装され、
前記第１、第２及び第３の配線パターンは、前記第１の基板及び前記第３の基板に形成されてなる電極駆動装置。
【請求項４】
請求項１又は請求項２記載の電極駆動装置において、
前記電子部品は、前記第１の基板に実装され、
前記第１、第２及び第３の配線パターンは、前記第１の基板に形成されてなる電極駆動装置。
【請求項５】
請求項１から請求項４のいずれかに記載の電極駆動装置において、
前記電子部品は、ペリフェラル型部品である電極駆動装置。
【請求項６】
請求項１から請求項５のいずれかに記載の電極駆動装置において、
前記電子部品は、前記第１及び第２の端子のうちの少なくとも１つから出力する信号を生成する機能を有する電極駆動装置。
【請求項７】
請求項１から請求項６のいずれかに記載の電極駆動装置において、
前記経路は、前記電子部品の電源電圧よりも高い電圧の信号を通過させるものである電極駆動装置。
【請求項８】
請求項７記載の電極駆動装置において、
前記電源電圧よりも高い電圧の信号は、共通電圧ＶCOMである電極駆動装置。
【請求項９】
請求項８記載の電極駆動装置において、
前記第４の配線パターンは、前記共通電圧ＶCOMを供給するためのものである電極駆動装置。
【請求項１０】
請求項１から請求項９のいずれかに記載の電極駆動装置において、
前記第３及び第４の配線パターンの間に、前記第２の配線パターンが配置されてなる電極駆動装置。
【請求項１１】
請求項１から請求項１０のいずれかに記載の電極駆動装置において、
前記第１の基板と前記第２の基板の間に電気光学物質が設けられてなり、電気光学装置を構成する電極駆動装置。
【請求項１２】
請求項１から請求項１０のいずれかに記載の電極駆動装置において、
前記第１の基板と前記第２の基板の間に液晶が設けられてなり、液晶装置を構成する電極駆動装置。
【請求項１３】
請求項１１又は請求項１２記載の電極駆動装置を有する電子機器。
【発明の詳細な説明】
【０００１】
【発明の属する技術分野】
本発明は、電極駆動装置及び電子機器に関する。
【０００２】
【背景技術】
アクティブマトリクス方式の液晶表示装置において、マトリクス状の信号電極及び走査電極が第１の基板に形成され、対向する第２の基板に対向電極が形成されている。また、信号電極及び走査電極に信号を供給する配線が第１の基板に形成され、対向電極に信号を供給する配線も、第１の基板に形成されている。従来、配線が交差する場合があり、その場合、多層基板を使用するなどの措置が必要であった。このような問題は、液晶表示装置に限らず、複数の配線を引き回すときに生じ得る。
【０００３】
本発明は、この問題点を解決するものであり、その目的は、交差させずに複数の配線を配置させることが可能な電極駆動装置及び電子機器を提供することにある。
【０００４】
【課題を解決するための手段】
（１）本発明に係る電極駆動装置は、四辺形領域内で並べられた第１及び第２の電極パターンと、
前記第１及び第２の電極パターンが形成された第１の基板と、
前記第１の電極パターンに電気的に接続されて前記四辺形領域の第１の辺から外方向に形成されてなる第１の配線パターンと、
前記第２の電極パターンに電気的に接続されて前記四辺形領域の前記第１の辺の両端に隣接する一対の第２の辺から外方向にそれぞれ形成されてなる一対の第２の配線パターンと、
前記第１及び第２の配線パターンよりも前記第１の辺及び前記一対の第２の辺で形成される一対の頂点に近い位置からそれぞれ前記四辺形領域の外方向に形成されてなる一対の第３の配線パターンと、
前記第１の基板に対向する第２の基板と、
前記第２の基板に形成され、前記一対の第３の配線パターンに電気的に接続された共通電極と、
前記一対の第３の配線パターンが形成された前記一対の頂点を除く前記四辺形領域の角部から引き出され、前記共通電極に電気的に接続されてなる第４の配線パターンと、
前記第１の配線パターンに電気的に接続される第１の端子と、前記一対の第２の配線パターンにそれぞれ電気的に接続される一対の第２の端子と、前記一対の第３の配線パターンにそれぞれ電気的に接続される一対の第３の端子と、前記第４の配線パターンに電気的に接続される第４の端子と、複数の入力端子と、を含み、入力された信号を通過させる経路を有する１つの電子部品と、
を有し、
前記経路は、前記複数の入力端子の１つを、前記一対の第３の端子及び前記第４の端子に接続する部分を有し、
それぞれの前記第３の配線パターンを境界として、前記第１の配線パターンの側に前記第１の端子が配置され、それぞれの前記第２の配線パターンの側に一方の前記第２の端子が配置され、
それぞれの前記第３の端子は、前記第１の端子と一方の前記第２の端子との間に配置され、
それぞれの前記第２の端子は、前記入力端子と一方の前記第３の端子との間に配置されてなる。
【０００５】
本発明によれば、第１、第２及び第３の配線パターンが交差することなく配置される。
【０００６】
（２）この電極駆動装置において、
前記第１及び第２の電極パターンは、マトリクス状に形成されていてもよい。
【０００７】
（３）この電極駆動装置において、
前記第１の基板には、第３の基板が取り付けられ、
前記電子部品は、前記第３の基板に実装され、
前記第１、第２及び第３の配線パターンは、前記第１の基板及び前記第３の基板に形成されていてもよい。
【０００８】
（４）この電極駆動装置において、
前記電子部品は、前記第１の基板に実装され、
前記第１、第２及び第３の配線パターンは、前記第１の基板に形成されていてもよい。
【０００９】
【００１０】
（５）この電極駆動装置において、
前記電子部品は、ペリフェラル型部品であってもよい。
【００１１】
【００１２】
【００１３】
【００１４】
【００１５】
【００１６】
【００１７】
【００１８】
【００１９】
（６）この電極駆動装置において、
前記電子部品は、前記第１及び第２の端子のうちの少なくとも１つから出力する信号を生成する機能を有してもよい。
【００２０】
【００２１】
（７）この電極駆動装置において、
前記経路は、前記電子部品の電源電圧よりも高い電圧の信号を通過させるものであってもよい。
【００２２】
（８）この電極駆動装置において、
前記電源電圧よりも高い電圧の信号は、共通電圧ＶCOMであってもよい。
【００２４】
（９）この電極駆動装置において、
前記第４の配線パターンは、前記共通電圧ＶCOMを供給するためのものであってもよい。
【００２５】
（１０）この電極駆動装置において、
前記第３及び第４の配線パターンの間に、前記第２の配線パターンが配置されていてもよい。
【００２６】
【００２７】
【００２８】
【００２９】
（１１）この電極駆動装置において、
前記第１の基板と前記第２の基板の間に電気光学物質が設けられてなり、電気光学装置を構成してもよい。
【００３０】
（１２）この電極駆動装置において、
前記第１の基板と前記第２の基板の間に液晶が設けられてなり、液晶装置を構成してもよい。
【００３１】
（１３）本発明に係る電子機器は、上記電極駆動装置を有する。
【００３２】
【発明の実施の形態】
以下、本発明の実施の形態について図面を参照して説明する。
【００３３】
（第１の前提技術）
図１（Ａ）は、第１の前提技術に係る電極駆動装置を示す図であり、図１（Ｂ）は、図１（Ａ）のＩＢ−ＩＢ線断面図である。
【００３４】
電極駆動装置は、第１の基板１１を有する。第１の基板１１に対向して第２の基板１２が設けられている。第１及び第２の基板１１，１２の少なくとも一方（一方のみ又は両方）は、ガラスなどからなる透明基板である。第１及び第２の基板１１，１２は、少なくとも表面において電気的に絶縁体で形成されてなる。第１及び第２の基板１１，１２の形状は、図１（Ａ）に示すような四辺形（矩形を含む）に限定されない。本前提技術では、第１の基板１１が第２の基板１２よりも大きい。
【００３５】
本前提技術では、電極駆動装置は、第３の基板１３を有する。第３の基板１３は、第１の基板１１に接続されている。第３の基板１３として、フレキシブル基板（フィルム）を使用してもよい。
【００３６】
電極駆動装置は、第１の電極パターン２１を有する。図１（Ａ）に示す第１の電極パターン２１は、図の上下方向に延びる複数の電極からなる。アクティブマトリクス型の液晶装置においては、第１の電極パターン２１は信号電極（又は走査電極）である。電極駆動装置は、第２の電極パターン２２を有する。図１（Ａ）に示す第２の電極パターン２２は、図の左右方向に延びる複数の電極からなる。アクティブマトリクス型の液晶装置においては、第２の電極パターン２２は走査電極（又は信号電極）である。なお、アクティブマトリクス型の液晶装置は、図示しない画素電極を有し、走査電極を通して制御されるアクティブ素子（例えばトランジスタ）によって、信号電極と画素電極との電気的な接続がオン・オフされる。
【００３７】
第１及び第２の電極パターン２１，２２は、マトリクス状に形成されていてもよい。本前提技術では、第１及び第２の電極パターン２１，２２は、第１の基板１１に形成されている。第１及び第２の電極パターン２１，２２は、四辺形領域２０内で並べられている。図１（Ａ）に示す例では、四辺形領域２０は、四辺形の第２の基板１２の外形によって区画される領域である。
【００３８】
電極駆動装置は、第３の電極パターン２３を有する。第３の電極パターン２３は、第２の基板１２に形成されている。アクティブマトリクス型の液晶装置においては、第３の電極パターン２３は共通電極である。その場合、第３の電極パターン２３は、第２の基板１２における第１の基板１１側の面に形成されている。
【００３９】
本前提技術では、電極駆動装置は、電気光学装置（液晶装置・プラズマディスプレイ装置・エレクトロルミネセンスディスプレイ装置など）であって、第１及び第２の基板１１，１２間に電気光学物質（液晶・放電ガス・発光材料など）１４が設けられている。電気光学物質１４は、図示しないシール材によって封止される。電極駆動装置は、電極駆動パネルでもよい。電極駆動パネルは、電気光学パネル（液晶パネル・プラズマディスプレイパネル・エレクトロルミネセンスディスプレイパネルなど）でもよい。
【００４０】
電極駆動装置は、第１の配線パターン３１を有する。第１の配線パターン３１は、複数の配線から構成されていてもよい。第１の配線パターン３１は、第１の電極パターン２１に電気的に接続されてなる。第１の電極パターン２１を構成する複数の電極のそれぞれに、第１の配線パターン３１を構成する複数の配線のそれぞれが電気的に接続されていてもよい。第１の電極パターン及び第１の配線パターン２１，３１は、一体連続的に形成されていてもよい。第１の配線パターン３１は、四辺形領域２０の第１の辺２４から外方向に形成されている。
【００４１】
電極駆動装置は、第２の配線パターン３２を有する。第２の配線パターン３２は、複数の配線から構成されていてもよい。第２の配線パターン３２は、第２の電極パターン２２に電気的に接続されてなる。第２の電極パターン２２を構成する複数の電極のそれぞれに、第２の配線パターン３２を構成する複数の配線のそれぞれが電気的に接続されていてもよい。第２の電極パターン及び第２の配線パターン２２，３２は、一体連続的に形成されていてもよい。第２の配線パターン３２は、四辺形領域２０の第２の辺２６から外方向に形成されている。第２の辺２６は、第１の辺２４に隣接する。
【００４２】
第２の配線パターン３２には、電子回路３６が電気的に接続されている。詳しくは、第２の電極パターン２２と第２の端子４２の間に電子回路３６が配置されている。電子回路３６は、第２の電極パターン（例えば走査電極）２２を駆動するもので、Ｙドライバ又はゲートドライバと呼んでもよい。電子回路３６がチップであれば、そのチップは、基板（図１（Ａ）の例では第１の基板１１）に実装される。電子回路３６は、低温ポリシリコンなどで、基板（図１（Ａ）の例では第１の基板１１）上に形成してもよい。
【００４３】
第１及び第２の辺２４，２６によって形成される頂点２５から、あるいはその付近から第３の配線パターン３３が形成されている。すなわち、第３の配線パターン３３は、第１及び第２の配線パターン３１，３２よりも頂点２５に近い位置から形成されている。第３の配線パターン３３は、四辺形領域２０の外方向に形成されている。図１（Ａ）に示す第３の配線パターン３３は、１つの配線であるが、複数の配線から構成されていてもよい。また、第３の配線パターン３３は、導電部１６を介して、第３の電極パターン２３に電気的に接続されている。
【００４４】
第１〜３の配線パターン３１〜３３は、交差せずに配置されている。また、第１及び第２の配線パターン３１，３２の間に第３の配線パターン３３が配置されている。
【００４５】
本前提技術では、上述した頂点２５を除いた四辺形領域２０の角部から第４の配線パターン３４が形成されている。ここで、角部とは、四辺形領域２０の角及びその付近を含む。第４の配線パターン３４は、四辺形領域２０の外方向に形成されている。図１（Ａ）に示す第４の配線パターン３４は、１つの配線であるが、複数の配線から構成されていてもよい。また、第４の配線パターン３４は、導電部１８を介して、第３の電極パターン２３に電気的に接続されている。
【００４６】
第１〜４の配線パターン３１〜３４は、第１の基板１１に形成されている。本前提技術では、第１〜４の配線パターン３１〜３４は、第３の基板１３にも形成されている。例えば、第１の基板１１に形成された複数の配線パターンと、第３の基板１３に形成された複数の配線パターンとが接合されて、第１〜４の配線パターン３１〜３４が構成されてもよい。その接合には、金属接合を適用してもよいし、異方性導電材料を使用してもよい。
【００４７】
本前提技術では、第５の配線パターン３５を有する。第５の配線パターン３５は、後述する電子部品４０と外部とを電気的に接続するものである。第５の配線パターン３５は、第３の基板１３に形成されている。
【００４８】
本前提技術では、第１の基板１１に第６の配線パターン３７が設けられている。第６の配線パターン３７は、第４の配線パターン３４と電気的に接続されている。また、第６の配線パターン３７は、導電部１７，１９を介して、第３の電極パターン２３に電気的に接続されている。導電部１７，１９は、導電部１６，１８と同じ構成であってもよい。図１に示す例では、四辺形領域２０の４つの角部に導電部１６〜１９が設けられており、４つの角部から第３の電極パターン２３の全体に、共通電圧ＶCOMを供給することができる。これによれば、第３の電極パターン２３の電圧を素早く変化させることができ、電圧の均一性も高まる。
【００４９】
電極駆動装置は、少なくとも１つの（図１（Ａ）の例では１つの）電子部品４０を有する。電子部品４０は、第１の電極パターン（例えば信号電極）２１を駆動し、Ｘドライバ又はソースドライバと呼んでもよい。本前提技術では、電子部品４０は、電子回路３６を制御する機能も有する。このようなコントローラとしての機能の他に、電子部品４０は、ＲＡＭ、電源回路、発信回路などを内蔵している。
【００５０】
図１（Ａ）に示す電子部品４０は、ペリフェラル型部品であって、端部に複数の端子が並んでいる。電子部品４０は、第１の辺２４の隣に配置されている。本前提技術では、電子部品４０は第３の基板１３に実装されている。電子部品４０の実装形態は、ＴＡＢ（T ape Automated Bonding）であってもよいし、フェースダウン実装であってもよい。実装対象となる基板（図１（Ａ）の例では第３の基板１３）が、フィルムであればＣＯＦ（Chip On Film）と呼ばれ、ガラスであればＣＯＧ（Chip On Glass）と呼ばれる。電子部品４０と基板（図１（Ａ）の例では第３の基板１３）とで、ＴＣＰ（Tape Carrier Package）を構成してもよい。
【００５１】
電子部品４０は、少なくとも１つ（図１（Ａ）の例では複数）の第１の端子４１を有する。第１の端子４１は、第１の配線パターン３１と電気的に接続されている。電子部品４０は、少なくとも１つ（図１（Ａ）の例では複数）の第２の端子４２を有する。第２の端子４２は、第２の配線パターン３２と電気的に接続されている。電子部品４０は、少なくとも１つ（図１（Ａ）の例では１つであるが複数でもよい）の第３の端子４３を有する。第３の端子４３は、第３の配線パターン３３と電気的に接続されている。
【００５２】
電子部品４０は、少なくとも１つ（図１（Ａ）の例では１つであるが複数でもよい）の第４の端子４４を有する。第４の端子４４は、第４の配線パターン３４と電気的に接続されている。電子部品４０は、少なくとも１つ（図１（Ａ）の例では複数）の第５の端子（入力端子）４５を有する。第５の端子（入力端子）４５は、第５の配線パターン３５と電気的に接続されている。
【００５３】
電子部品４０は、第１〜４の端子４１〜４４のうちの少なくとも１つから出力する信号を生成する機能を有する。例えば、電子部品４０は、第３の電極パターン（共通電極）２３に印加する電圧（共通電圧ＶCOM）を生成し、第３の端子４３から出力する。図１に示す例では、共通電圧ＶCOMは、第４の端子４４からも出力され、第４の配線パターン３４を通じて第３の電極パターン２３に印加される。第４のパターン３４には第６の配線パターン３７が電気的に接続されているので、第６の配線パターン３７からも、共通電圧ＶCOMは第３の電極パターン２３に印加される。
【００５４】
本前提技術では、配列順において、第１及び第２の端子４１，４２の間に第３の端子４３が配置されている。また、配列順において、第３の端子４３と第５の端子（入力端子）４５の間に第２の端子４２が配置されている。また、第１の端子４１は、第３の配線パターン３３よりも第１の配線パターン３１の側に配置されている。第２の端子４２は、第３の配線パターン３３よりも第２の配線パターン３２の側に配置されている。第３の端子４３は、第１及び第２の端子４１，４２の間に配置されている。
【００５５】
このような配列になっているので、本前提技術によれば、第３の配線パターン３３を、第１及び第２の配線パターン３１，３２と交差しないように配置することができる。
【００５６】
次に、本前提技術に係る電極駆動装置の動作を説明する。第５の配線パターン３５から第５の端子４５に複数の信号（電圧）が入力される。電子部品４０において、入力信号がＲＡＭに記憶され、必要な電圧や信号が生成される。そして、第１の端子４１から出力される信号によって、第１の配線パターン３１を通じて、第１の電極パターン（信号電極）２１が駆動される。また、第２の端子４２から出力される信号によって、電子回路３６をコントロールし、電子回路３６は第２の電極パターン（走査電極）２２を駆動する。第２の端子４２からは、電子回路３６に対して電源も供給する。第３の端子４３から出力される電圧（共通電圧ＶCOM）は、第３の配線パターン３３を通して、第３の電極パターン２３に印加される。第４の端子４４から出力される電圧（共通電圧ＶCOM）も、第４の配線パターン３４を通して、第３の電極パターン２３に印加される。
【００５７】
（第２の前提技術）
図２は、第２の前提技術に係る電極駆動装置を示す図である。本前提技術は、第１の前提技術の変形例であり、同じ構成については説明を省略する。本前提技術に係る電極駆動装置は、電子部品５０を有する。電子部品５０は、入力された信号を第１〜４の端子５１〜５４のうちの少なくとも１つに通過させる経路５６を有する。ここで、信号とは電圧や電源を含み、共通電圧ＶCOMであってもよい。経路５６は、電子部品５０の電源電圧（例えば、１．８Ｖ、３Ｖ）よりも高い電圧の信号を通過できるように、高耐圧な回路レイアウト又は配線レイアウトにしてもよい。これにより、経路５６は、共通電圧ＶCOM（例えば、−１．０〜４．０Ｖ、振幅５Ｖ）のような信号も通過させることができる。図２に示す例では、複数のうちの１つの第５の端子５５は、経路５６によって、第３及び第４の端子５３，５４に電気的に接続されている。経路５６は、能動素子を有していない配線である。このように、電子部品５０の内部を、信号が通過できることによって、第３の配線パターン３３を、第１又は第２の配線パターン３１，６２と交差させずに配置することができる。
【００５８】
本前提技術に係る電極駆動装置は、電子回路６８を有する。電子回路６８は、必要な電圧又は電源を生成する電源回路である。電子回路６８は、第２の配線パターン６２に電気的に接続されて電子回路３６に電源を供給する。また、電子回路６８は、電子部品５０の第５の端子５５に電気的に接続されている。そして、電子回路６８から供給された電源は、上述した経路５６を通じて、電子部品５０の外部（図２の例では、第３及び第４の配線パターン３３，３４を通じて第３の電極パターン２３（図１（Ａ）参照）に供給される。
【００５９】
（第３の前提技術）
図３は、第３の前提技術に係る電極駆動装置を示す図である。本前提技術は、第２の前提技術の変形例であり、同じ構成については説明を省略する。本前提技術に係る電極駆動装置は、電子部品７０を有する。電子部品７０は、入力された信号を第１〜４の端子７１〜７４のうちの少なくとも１つに通過させる経路７６，７８を有する。ここで、信号とは電圧や電源を含み、共通電圧ＶCOMであってもよい。経路７６，７８は、電子部品７０の電源電圧（例えば、１．８Ｖ、３Ｖ）よりも高い電圧の信号を通過できるように、高耐圧な回路レイアウト又は配線レイアウトにしてもよい。これにより、経路７６，７８は、共通電圧ＶCOM（例えば、−１．０〜４．０Ｖ、振幅５Ｖ）のような信号も通過させることができる。図３に示す例では、第５の端子７５は、経路７６によって、第２の端子７２に電気的に接続されている。経路７２は、能動素子を有していない配線である。第２の端子７２は、第２の配線パターン８２に電気的に接続されている。なお、第２の配線パターン８２には、第２の端子７２と電子回路３６との間に、電子回路６８が電気的に接続されている。
【００６０】
また、第３の端子７３は、経路７８によって、第４の端子７４に電気的に接続されている。経路７８は、能動素子を有していない配線である。第３の端子７３は、第３の配線パターン８３に電気的に接続され、第４の端子７４は、第４の配線パターン３４に電気的に接続されている。なお、第３の配線パターン８３は、電子回路６８にも電気的に接続されている。
【００６１】
電子部品８０の経路７６，７８によって、電子部品７０の内部を、信号が通過できる。したがって、第３又は第４の配線パターン８３，８４を、第１又は第２の配線パターン３１，８２と交差させずに配置することができる。
【００６２】
電子回路６８は、必要な電圧又は電源を生成する電源回路である。電子回路６８は、第２の配線パターン８２に電気的に接続されて電子回路３６に電源を供給する。また、電子回路６８は、第３の配線パターン８３に電気的に接続されて電源を供給できるようになっている。また、第３の配線パターン８３は、第３の端子７３に電気的に接続され、電子回路６８から供給された電源は、上述した経路７８を通じて、電子部品７０の外部（図３の例では、第４の配線パターン３４を通じて第３の電極パターン２３（図１（Ａ）参照）に供給される。
【００６３】
（第４の前提技術）
図４は、第４の前提技術に係る電極駆動装置を示す図である。電極駆動装置は、第１及び第２の基板１１１，１１２（第１の前提技術で説明した第１及び第２の基板１１，１２の内容が該当する。）を有する。本前提技術でも、第２の基板１１２の外形によって形成される四辺形領域１２０内に、図示しない第１及び第２の電極パターンが並べられている。第１の基板１１１には第３の基板１１３（第１の前提技術で説明した第３の基板１３の内容が該当する。）が取り付けられている。
【００６４】
電極駆動装置は、第１及び第２の電子部品１４０，１５０を有する。図４に示す第１及び第２の電子部品１４０，１５０は、第３の基板１１３に実装されている。実装形態は、第１の前提技術で説明した。四辺形領域１２０の第１の辺１２４の隣に第１の部品１４０が配置されている。そして、第１の辺１２０と第２の部品１５０との間に、第１の部品１４０が配置されている。
【００６５】
第１及び第２の電子部品１４０，１５０は、いずれもペリフェラル型部品であって、端部に複数の端子が並んでいる。第１の電子部品１４０は、第１の端子１４１（第１の前提技術で説明した第１の端子４１の内容が該当する。）を有する。第２の電子部品１５０は、第２の端子１５２（第１の前提技術で説明した第２の端子４２の内容が該当する。）を有する。第３の端子１５３（第１の前提技術で説明した第３の端子４３の内容が該当する。）は、第１及び第２の電子部品１４０，１５０の一方（図４の例では、第２の電子部品１５０）に設けられている。また、第１及び第２の電子部品１４０，１５０の一方（図４の例では、第２の電子部品１５０）は、第４及び第５の端子１５４，１５５（第１の前提技術で説明した第４及び第５の端子１５４，１５５の内容が該当する。）を有する。なお、第５の端子１５５は入力端子である。さらに、第１及び第２の電子部品１４０，１５０は、それぞれ、第６の端子１４６，１５６を有する。
【００６６】
第１の辺１２４から形成された第１の配線パターン１３１（第１の前提技術で説明した第１の配線パターン３１の内容が該当する。）は、第１の端子１４１に電気的に接続されている。
【００６７】
第２の辺１２６から第２の配線パターン１３２（第１の前提技術で説明した第２の配線パターン３２の内容が該当する。）は、第２の端子１５２に電気的に接続されている。本前提技術では、第１の辺１２４の両端に隣接する２つの第２の辺１２６のそれぞれから、第２の配線パターン１３２が形成されている。
【００６８】
本前提技術では、第１の辺１２４と２つの第２の辺１２６とによって２つの頂点が形成される。その２つの頂点のそれぞれに近い位置から、第３の配線パターン１３３が形成されている。これ以外の点では、第３の配線パターン１３３には、第１の前提技術で説明した第３の配線パターン３３の内容が該当する。
【００６９】
本前提技術では、第４の配線パターン１３４は、第２の配線パターン１３２よりも、第２の辺１２６における第１の辺１２４とは反対側の先端に近い位置（角部）から形成されている。また、２つの第２の辺１２６に対応して、２つの第４の配線パターン１３４が形成されている。
【００７０】
本前提技術に係る電極駆動装置は、第５の配線パターン１３５（第１の前提技術で説明した第５の配線パターン３５の内容が該当する。）を有する。また、第１及び第２の電子部品１４０，１５０の第６の端子１４６，１５６を電気的に接続する第６の配線パターン（接続パターン）１３６が形成されている。
【００７１】
第１の電子部品１４０において、第１の端子１４１は、第１の辺１２４側の端部に設けられている。また、第１の端子１４１は、第６の端子１４６とは反対側の端部に設けられている。
【００７２】
第２の電子部品１５０では、配列順において、第２の端子１５２は、第３の端子１５３と第５の端子（入力端子）１５５との間に設けられている。配列順において、第６の端子１５６と第２の端子１５２との間に、第３の端子１５３が設けられている。配列順において、第３の端子１５３と第４の端子１５４との間に、第２の端子１５２が設けられている。
【００７３】
本前提技術では、第３の配線パターン１３３は、第２の配線パターン１３２と第６の配線パターン（接続パターン）１３６との間に形成されている。したがって、第３の配線パターン１３３を、第２の配線パターン１３２と交差させないように形成することができる。また、第２の配線パターン１３２が、第３及び第４の配線パターン１３３，１３４の間に形成されている。したがって、第４の配線パターン１３４を、第２の配線パターン１３２と交差させないように形成することができる。
【００７４】
その他の内容については、第１の前提技術で説明した内容が該当する。例えば、第１の端子１４１は、第３の配線パターン１３３よりも第１の配線パターン１３１の側に配置されている。第２の端子１５２は、第３の配線パターン１３３よりも第２の配線パターン１３２の側に配置されている。第３の端子１５３は、第１及び第２の端子１４１，１５２の間に配置されている。言い換えると、第３の端子１５３を通る図示しない線（第３の配線パターン１３３でもよい。）を境界として、一方の側に第１の端子１４１が配置され、他方の側に第２の端子１５２が配置されている。本前提技術によれば、上述した構成を有するので、交差させずに複数の配線を形成することができる。
【００７５】
（本発明の実施の形態）
図５は、本発明の実施の形態に係る電極駆動装置を示す図である。本実施の形態では、電子部品２４０が第１の基板２１１（第１の前提技術で説明した第１の基板１１の内容が該当する。）に実装されている（ＣＯＧ）。また、第１〜３の配線パターン２３１〜２３３も、第１の基板２１１に形成されている。
【００７６】
電子部品２４０は、第１〜５の端子２４１〜２４５を有する点で、第１の前提技術で説明した電子部品４０の内容が該当する。また、電子部品２４０の第３及び第４の端子２４３，２４４について、第４の前提技術で説明した第２の電子部品１５０の第３及び第４の端子１５３，１５４の内容が該当する。すなわち、図５に示す電子部品２４０は、図４に示す第２の電子部品１５０から第６の端子１５６を除去し、その代わりに第１の端子２４１を設けた構成を有する。
【００７７】
第１〜第５の配線パターン２３１〜２３５は、第４の前提技術で説明した第１〜５の配線パターン１３１〜１３５の内容が該当する。ただし、第１の配線パターン２３１も、電子部品２４０に電気的に接続されている。本実施の形態には、上記いずれかの前提技術で説明した内容を適用することができる。本実施の形態でも、複数の配線を交差させずに形成することができる。なお、本実施の形態では、第１の基板２１１に電子部品２４０が実装されているが、第３の基板を設け、この第３の基板に電子部品２４０を実装してもよい。詳しくは、第１の前提技術で説明した。
【００７８】
上述した実施の形態に係る電極駆動装置を有する電子機器として、図６にはノート型パーソナルコンピュータ１０００が示され、図７には携帯電話２０００が示されている。
【００７９】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【図１】  図１（Ａ）〜図１（Ｂ）は、第１の前提技術に係る電極駆動装置を示す図である。
【図２】  図２は、第２の前提技術に係る電極駆動装置を示す図である。
【図３】  図３は、第３の前提技術に係る電極駆動装置を示す図である。
【図４】  図４は、第４の前提技術に係る電極駆動装置を示す図である。
【図５】  図５は、本発明の実施の形態に係る電極駆動装置を示す図である。
【図６】  図６は、実施の形態に係る電子機器を示す図である。
【図７】  図７は、実施の形態に係る電子機器を示す図である。
【符号の説明】
１１  第１の基板
１２  第２の基板
１４  電気光学物質
２０  四辺形領域
２１  第１の電極パターン
２２  第２の電極パターン
２３  第３の電極パターン
２４  第１の辺
２５  頂点
２６  第２の辺
３１  第１の配線パターン
３２  第２の配線パターン
３３  第３の配線パターン
３４  第４の配線パターン
４０  電子部品
４１  第１の端子
４２  第２の端子
４３  第３の端子
４４  第４の端子
４５  第５の端子（入力端子）
【図１】
0003845551.tif 000002
【図２】
0003845551.tif 000003
【図３】
0003845551.tif 000004
【図４】
0003845551.tif 000005
【図５】
0003845551.tif 000006
【図６】
0003845551.tif 000007
【図７】
0003845551.tif 000008